(57)【要約】【課題】施工にあたって、地球環境の悪化を招き難く、施工能率も低下し難い低温液化ガス貯留タンクの支持構造を提供する。【解決手段】低温液化ガスの貯留部を形成する内槽を、断熱層２を挟んで、外槽３の内側に設置してあり、外槽底板６をコンクリート製基盤の上に設置してあるとともに、外槽底板に底部断熱層２ａを設置して、その底部断熱層を介して、内槽底板７を外槽底板に載置支持してあり、底部断熱層を構成するに、パーライトコンクリート断熱層８の上に、略同じ長さの複数の筒体９を筒軸芯を上下方向に沿わせてパーライトコンクリート断熱層の上面に並設して、それらの筒体の内側及び筒体どうしの間に断熱用パーライト１０を充填してあるパーライト断熱層１１を積層するとともに、そのパーライト断熱層の上に軽量気泡コンクリート（ＡＬＣ）からなる緩衝用断熱層１２を積層して構成してある。【選択図】図２
2008164066.tif 000002
【特許請求の範囲】
【請求項１】
低温液化ガスの貯留部を形成する内槽を、断熱層を挟んで、外槽の内側に設置してあり、
前記外槽の底板をコンクリート製基盤の上に設置してあるとともに、前記外槽の底板に底部断熱層を設置して、その底部断熱層を介して、前記内槽の底板を前記外槽の底板に載置支持してあり、
前記底部断熱層を構成するに、
断熱用パーライトを混入してあるパーライトコンクリート断熱層の上に、略同じ長さの複数の筒体を筒軸芯を上下方向に沿わせて前記パーライトコンクリート断熱層の上面に並設して、それらの筒体の内側及び筒体どうしの間に断熱用パーライトを充填してあるパーライト断熱層を積層するとともに、前記パーライト断熱層の上に緩衝用断熱層を積層して構成してある低温液化ガス貯留タンクの支持構造であって、
前記緩衝用断熱層を軽量気泡コンクリート（ＡＬＣ）で構成してある低温液化ガス貯留タンクの支持構造。
【発明の詳細な説明】
【技術分野】
【０００１】
本発明は、低温液化ガスの貯留部を形成する内槽を、断熱層を挟んで、外槽の内側に設置してあり、前記外槽の底板をコンクリート製基盤の上に設置してあるとともに、前記外槽の底板に底部断熱層を設置して、その底部断熱層を介して、前記内槽の底板を前記外槽の底板に載置支持してあり、前記底部断熱層を構成するに、断熱用パーライトを混入してあるパーライトコンクリート断熱層の上に、略同じ長さの複数の筒体を筒軸芯を上下方向に沿わせて前記パーライトコンクリート断熱層の上面に並設して、それらの筒体の内側及び筒体どうしの間に断熱用パーライトを充填してあるパーライト断熱層を積層するとともに、前記パーライト断熱層の上に緩衝用断熱層を積層して構成してある低温液化ガス貯留タンクの支持構造に関する。
【背景技術】
【０００２】
低温液化ガス貯留タンクは、貯留部に貯留してある低温液化ガスの重量を、底部断熱層を介して、外槽の底板に伝達するので、低温液化ガスの重量が底部断熱層の略全面に亘って満遍なく分散作用させることができない場合は、内槽の底板や底部断熱層が部分的に大きく変形するおそれがある。
このために、上記低温液化ガス貯留タンクの支持構造は、パーライトコンクリート断熱層の上にパーライト断熱層を積層してあるだけでなく、低温液化ガスの重量が底部断熱層の略全面に亘って満遍なく分散作用するように、内槽の底板に倣うように緩衝用断熱層をパーライト断熱層の上に積層してある底部断熱層を外槽の底板に設置してある。
従来の上記低温液化ガス貯留タンクの支持構造では、木材（米栂）で構成してある緩衝用断熱層をパーライト断熱層の上に積層し、内槽の底板を構成する鋼板などを接合するための溶接作業を底部断熱層の上で実施しても、緩衝用断熱層を構成している木材が焼けるようなことがないように、緩衝用断熱層の上に耐熱ボード（繊維補強珪酸カルシウム板）を積層してある（周知慣用技術であり、適切な先行技術文献情報を開示できない）。
【発明の開示】
【発明が解決しようとする課題】
【０００３】
緩衝用断熱層を木材で構成してあるために、木材を入手するための森林伐採によって、地球環境の悪化（二酸化炭素の増加）を引き起こすことが危惧されるだけでなく、木材をパーライト断熱層の上に積層して、その上に、耐熱ボードを更に積層してあるために、施工時において、木材をパーライト断熱層の上に積層してから、耐熱ボードを積層するまでの間に、パーライト断熱層の吸湿性により、木材の乾燥が進行して反りが生じ易く、反りが生じた場合は、木材の表面をカンナで削って平滑にするというような作業が必要となり、施工能率が低下するおそれがある。
本発明は上記実情に鑑みてなされたものであって、施工にあたって、地球環境の悪化を招き難く、施工能率も低下し難い低温液化ガス貯留タンクの支持構造を提供することを目的とする。
【課題を解決するための手段】
【０００４】
本発明の第１特徴構成は、低温液化ガスの貯留部を形成する内槽を、断熱層を挟んで、外槽の内側に設置してあり、前記外槽の底板をコンクリート製基盤の上に設置してあるとともに、前記外槽の底板に底部断熱層を設置して、その底部断熱層を介して、前記内槽の底板を前記外槽の底板に載置支持してあり、前記底部断熱層を構成するに、断熱用パーライトを混入してあるパーライトコンクリート断熱層の上に、略同じ長さの複数の筒体を筒軸芯を上下方向に沿わせて前記パーライトコンクリート断熱層の上面に並設して、それらの筒体の内側及び筒体どうしの間に断熱用パーライトを充填してあるパーライト断熱層を積層するとともに、前記パーライト断熱層の上に緩衝用断熱層を積層して構成してある低温液化ガス貯留タンクの支持構造であって、前記緩衝用断熱層を軽量気泡コンクリート（ＡＬＣ）で構成してある点にある。
【０００５】
〔作用及び効果〕
緩衝用断熱層を、森林伐採によらずに入手することができ、反りも生じ難い軽量気泡コンクリート（ＡＬＣ）で構成してあるので、施工にあたって、地球環境の悪化を招き難く、施工能率も低下し難い。
【発明を実施するための最良の形態】
【０００６】
以下に本発明の実施の形態を図面に基づいて説明する。
〔第１実施形態〕
図１は、本発明による液化天然ガスや液化プロパンガスなどの低温液化ガスＧを貯留する低温液化ガス貯留タンクの支持構造を示し、貯留タンクＡは、低温液化ガスＧの貯留部を形成する金属製内槽１を、底部断熱層２ａと周部断熱層２ｂと屋根部断熱層２ｃとからなる断熱層２を挟んで、金属製外槽３の内側に設置してある地上式金属二重殻タンクで構成してあり、外槽３の外周側を囲むコンクリート製防液堤４を外槽３とコンクリート製基盤５とに一体に設けてある。
【０００７】
前記外槽３の鋼製底板（底部外槽ライナープレート）６は基盤５の上に設置してあり、外槽３の底板６に底部断熱層２ａを設置して、その底部断熱層２ａを介して、内槽１の鋼製底板（底部内槽ライナープレート）７を外槽３の底板６に載置支持してある。
【０００８】
前記底部断熱層２ａは、図２に示すように、断熱用粒状パーライトを混入してあるパーライトコンクリート断熱層８の上に、略同じ長さの複数の円筒体９を筒軸芯を上下方向に沿わせてパーライトコンクリート断熱層８の上面に並設して、それらの円筒体９の内側及び円筒体９どうしの間の空隙部に断熱用粒状パーライト１０を充填してあるパーライト断熱層１１を積層するとともに、そのパーライト断熱層１１の上に緩衝用断熱層１２を積層して構成してある。
尚、円筒体９は、断熱用パーライトを混入してあるパーライトコンクリートブロックで形成してある。
【０００９】
そして、緩衝用断熱層１２を、多数の軽量気泡コンクリート（ＡＬＣ）板１３を敷設して構成し、この緩衝用断熱層１２の上に多数の耐熱ボード（繊維補強珪酸カルシウム板）１４を敷設し、この耐熱ボード１４の上に内槽１の底板７を載置してある。
【００１０】
〔第２実施形態〕
図示しないが、軽量気泡コンクリート（ＡＬＣ）からなる緩衝用断熱層１２の上面に、耐熱ボード１４を敷設せずに、緩衝用断熱層１２の上に内槽１の底板７を載置してあっても良い。
【００１１】
〔その他の実施形態〕
１．本発明による低温液化ガス貯留タンクの支持構造は、貯留タンクは、地上式ＰＣ二重タンクなどの各種構造形式の低温液化ガス貯留タンクの支持構造であっても良い。
２．本発明による低温液化ガス貯留タンクの支持構造は、底部断熱層を、メッシュライニングで補強してあるパーライトコンクリート断熱層の上に、パーライト断熱層を積層するとともに、そのパーライト断熱層の上に、軽量気泡コンクリート（ＡＬＣ）からなる緩衝用断熱層を積層して構成してあっても良い。
３．本発明による低温液化ガス貯留タンクの支持構造は、パーライト断熱層と軽量気泡コンクリート（ＡＬＣ）からなる緩衝用断熱層との間に、普通合板や珪酸カルシウム板，石膏ボード等を敷設してあっても良い。
【実施例】
【００１２】
図３は、従来の緩衝用断熱層１２を構成している木材（米栂）と、本発明の緩衝用断熱層１２を構成している軽量気泡コンクリート（以下、ＡＬＣという）の物性データを測定し、その測定結果に基づく物性の比較表を示している。
【００１３】
この比較表から、ＡＬＣの圧縮強度が木材と同程度であることが分かる。また、パーライト断熱層１１にＡＬＣ板１３を積層してある状態での破壊試験においては、ＡＬＣ板１３よりも先にパーライト断熱層１１が破壊することから、パーライト断熱層１１にＡＬＣからなる緩衝用断熱層１２を積層してある状態での破壊荷重が、パーライト断熱層１１に木材からなる緩衝用断熱層１２を積層してある状態での破壊荷重と比較して何ら遜色が無いことを確認しており、緩衝用断熱層１２をＡＬＣで構成しても、必要な強度を確保することができた。
【００１４】
また、熱伝導率については、ＡＬＣが木材に比べて約３０％高くなっているが、底部断熱層２ａの構造において、ＡＬＣからなる緩衝用断熱層１２の厚さが１００ｍｍ，パーライト断熱層１１の厚さが最低でも４００ｍｍ，パーライトコンクリート断熱層８の厚さが最低でも１００ｍｍとすると、ＡＬＣが底部断熱層２ａの全体に占める体積割合は１７％程度になり、従って、底部断熱層２ａの全体に対する保冷性能の低下割合は約５％（０．３×０．１７≒０．０５）程度と予想できる。
【００１５】
その上、低温液化ガス貯留タンクのボイルオフレイト（１日に何％の液化ガスが揮発するかの割合）は、貯留タンクＡの周部断熱層２ｂや屋根部断熱層２ｃの断熱性能を考慮して算出するので、貯留タンクＡの全体に対する保冷性能の低下割合は更に低くなり、ＡＬＣの熱伝導率が高い点については、ほとんど影響が無いということができる。
【図面の簡単な説明】
【００１６】
【図１】貯留タンクの概略縦断面図
【図２】底部断熱層構造を示す斜視図
【図３】木材（米栂）と軽量気泡コンクリートとの物性の比較表
【符号の説明】
【００１７】
１  内槽
２  断熱層
２ａ  底部断熱層
３  外槽
５  基盤
６  外槽の底板
７  内槽の底板
８  パーライトコンクリート断熱層
９  筒体
１０  断熱用パーライト
１１  パーライト断熱層
１２  緩衝用断熱層（軽量気泡コンクリート）
Ｇ  低温液化ガス
【図１】
2008164066.tif 000003
【図２】
2008164066.tif 000004
【図３】
2008164066.tif 000005